(57)【要約】【課題】異なる二つのアプリケーション間において、一方のアプリケーションから他方のアプリケーションへのデータのコピーを簡単に行う。【解決手段】在宅用アプリケーション画面８０において、複数の項目について項目と項目に対応する内容がそれぞれ表示された状態で、「まとめてコピー」が選択されると、在宅用アプリケーション画面８０上に表示されている全ての項目について項目と内容とが対応付けられてクリップボードにコピーされ、クリップボードにコピーされたコピー対象項目の一覧が、別ウィンドウに表示される。コピー対象項目の一覧から貼り付け対象の項目が選択され、業務アプリケーション画面７０において、対象項目の貼り付け領域が指定されると、選択された貼り付け対象の項目に対応する内容がクリップボードから読み出され、読み出された内容が、指定された領域に貼り付けられる。【選択図】図１８
2018032446.tif 000002
【特許請求の範囲】
【請求項１】
複数の項目について項目毎に当該項目に対応する内容を表示する第１のアプリケーションと、前記複数の項目について項目毎に当該項目に対応する内容を入力するための第２のアプリケーションと、を起動可能なコンピューターを、
前記第１のアプリケーションにおいて、前記複数の項目について当該項目と当該項目に対応する内容がそれぞれ表示手段に表示された状態で、前記複数の項目のうちコピー対象の項目を選択するための選択手段、
前記選択手段により選択された項目と当該項目に対応する内容とを対応付けて一時記憶手段に記憶させるコピー手段、
前記第２のアプリケーションにおいて、前記一時記憶手段に記憶された内容を貼り付ける領域を指定するための指定手段、
前記第２のアプリケーションにおいて、前記一時記憶手段に記憶された内容を前記指定された領域に貼り付ける貼り付け手段、
として機能させるための情報処理プログラム。
【請求項２】
前記選択手段は、前記コピー対象の項目を複数まとめて選択可能であり、
前記コピー手段は、前記まとめて選択された項目のそれぞれについて、当該項目と当該項目に対応する内容とを対応付けて前記一時記憶手段に記憶させ、
前記コンピューターを、さらに、
前記選択手段により選択された項目の一覧を前記表示手段に表示させる表示制御手段、
前記表示手段に表示された項目の一覧から貼り付け対象の項目を選択するための第２の選択手段、
として機能させ、
前記指定手段は、前記第２のアプリケーションにおいて、前記第２の選択手段により選択された項目に対応する内容を貼り付ける領域を指定し、
前記貼り付け手段は、前記第２の選択手段により選択された項目に対応する内容を前記一時記憶手段から読み出し、当該読み出された内容を前記指定された領域に貼り付ける請求項１に記載の情報処理プログラム。
【請求項３】
前記コンピューターを、さらに、
前記第２の選択手段により選択された項目と、前記指定手段により指定された前記第２の選択手段により選択された項目に対応する内容を貼り付ける領域と、を対応付けて記憶する領域記憶手段として機能させ、
前記貼り付け手段は、前記領域記憶手段に項目と領域との対応関係が記憶されている場合には、前記第２の選択手段により選択された項目に対応する内容を前記一時記憶手段から読み出し、当該読み出された内容を前記領域記憶手段に記憶されている当該項目に対応する領域に貼り付ける請求項２に記載の情報処理プログラム。
【請求項４】
前記コンピューターを、さらに、
前記第２の選択手段により選択された項目と、前記指定手段により指定された前記第２の選択手段により選択された項目に対応する内容を貼り付ける領域と、を対応付けて記憶する領域記憶手段として機能させ、
前記貼り付け手段は、前記領域記憶手段に項目と領域との対応関係が記憶されている場合には、前記コピー対象の項目として選択された各項目について、当該項目に対応する内容を前記一時記憶手段から読み出し、当該読み出された内容を前記領域記憶手段に記憶されている当該項目に対応する領域に貼り付ける請求項２に記載の情報処理プログラム。
【請求項５】
前記第１のアプリケーションは、ウェブブラウザー上で動作する請求項１〜４のいずれか一項に記載の情報処理プログラム。
【請求項６】
複数の項目について項目毎に当該項目に対応する内容を表示する第１のアプリケーションと、前記複数の項目について項目毎に当該項目に対応する内容を入力するための第２のアプリケーションと、を起動可能な情報処理装置であって、
前記第１のアプリケーションにおいて、前記複数の項目について当該項目と当該項目に対応する内容がそれぞれ表示手段に表示された状態で、前記複数の項目のうちコピー対象の項目を選択するための選択手段と、
前記選択手段により選択された項目と当該項目に対応する内容とを対応付けて一時記憶手段に記憶させるコピー手段と、
前記第２のアプリケーションにおいて、前記一時記憶手段に記憶された内容を貼り付ける領域を指定するための指定手段と、
前記第２のアプリケーションにおいて、前記一時記憶手段に記憶された内容を前記指定された領域に貼り付ける貼り付け手段と、
を備える情報処理装置。
【発明の詳細な説明】
【技術分野】
【０００１】
本発明は、情報処理プログラム及び情報処理装置に関する。
【背景技術】
【０００２】
近年、医療の分野においては、在宅診療・介護の重要性が増してきており、在宅療養支援診療所（在支診）の数も年々増加してきている。在宅診療には、在支診の他、訪問看護ステーション、訪問介護事業所、薬局等、複数の医療施設・医療従事者が関係している。
【０００３】
在支診が在宅診療を始めるためには、患者の医療情報だけでなく、介護情報（患者の住居環境、生活状況等）を把握しておくことが有効であり、医療情報と介護情報を、その患者の診療に携わる医療従事者間で共有化できる仕組みが望まれる。
【０００４】
例えば、在宅介護に関わる多職種間で情報を連携する統合型在宅介護サービス支援システムが提案されている（特許文献１参照）。このシステムでは、バイタルデータやＡＤＬ（日常生活動作）データが保存され、閲覧可能となる。
【先行技術文献】
【特許文献】
【０００５】
【特許文献１】特開２００２−２１５８００号公報
【発明の概要】
【発明が解決しようとする課題】
【０００６】
しかしながら、在宅診療に携わる医療従事者は、上述したような在宅患者の診療に携わる医療従事者間でデータを共有するための在宅診療連携システムにおいて、患者宅を訪問した際に測定した測定値や患者に対して行った行為等の在宅診療情報を入力する一方で、各自が所属する医療施設毎の業務システム等にも同様のデータを入力しなければならない場合がある。
【０００７】
このように、異なる二つのシステムで共通の情報を扱う場合、二つのシステム間で情報のやり取りを行うための通信方式を決めて連携を取るか、このような連携が取れない場合は、手入力により一度前述の在宅診療連携システムに入れた情報を再度業務システムに入力することが必要となる。また、ＷＥＢブラウザー等で在宅診療連携システムの入力情報を業務システムのある端末上に表示できる場合においても、一方のシステムにおけるアプリケーション上でテキストや数値を直接コピーして、他方のアプリケーションの対応する欄に貼り付けるといった作業が必要であった。共通の通信方式で連携を取る場合、通信方式が対応しているシステム間では手間を必要としないが、システムが変わる度にその通信方式を確認する必要があり、未対応の場合には連携が全く取れなくなるという問題があった。また、端末上で両アプリケーションを起動させてデータをコピーする場合、項目毎の内容を一つずつコピーして貼り付けなくてはならないという問題があった。
【０００８】
本発明は、上記の従来技術における問題に鑑みてなされたものであって、異なる二つのアプリケーション間において、一方のアプリケーションから他方のアプリケーションへのデータのコピーを簡単に行うことを課題とする。
【課題を解決するための手段】
【０００９】
上記課題を解決するために、請求項１に記載の発明は、複数の項目について項目毎に当該項目に対応する内容を表示する第１のアプリケーションと、前記複数の項目について項目毎に当該項目に対応する内容を入力するための第２のアプリケーションと、を起動可能なコンピューターを、前記第１のアプリケーションにおいて、前記複数の項目について当該項目と当該項目に対応する内容がそれぞれ表示手段に表示された状態で、前記複数の項目のうちコピー対象の項目を選択するための選択手段、前記選択手段により選択された項目と当該項目に対応する内容とを対応付けて一時記憶手段に記憶させるコピー手段、前記第２のアプリケーションにおいて、前記一時記憶手段に記憶された内容を貼り付ける領域を指定するための指定手段、前記第２のアプリケーションにおいて、前記一時記憶手段に記憶された内容を前記指定された領域に貼り付ける貼り付け手段、として機能させるための情報処理プログラムである。
【００１０】
請求項２に記載の発明は、請求項１に記載の情報処理プログラムにおいて、前記選択手段は、前記コピー対象の項目を複数まとめて選択可能であり、前記コピー手段は、前記まとめて選択された項目のそれぞれについて、当該項目と当該項目に対応する内容とを対応付けて前記一時記憶手段に記憶させ、前記コンピューターを、さらに、前記選択手段により選択された項目の一覧を前記表示手段に表示させる表示制御手段、前記表示手段に表示された項目の一覧から貼り付け対象の項目を選択するための第２の選択手段、として機能させ、前記指定手段は、前記第２のアプリケーションにおいて、前記第２の選択手段により選択された項目に対応する内容を貼り付ける領域を指定し、前記貼り付け手段は、前記第２の選択手段により選択された項目に対応する内容を前記一時記憶手段から読み出し、当該読み出された内容を前記指定された領域に貼り付ける。
【００１１】
請求項３に記載の発明は、請求項２に記載の情報処理プログラムにおいて、前記コンピューターを、さらに、前記第２の選択手段により選択された項目と、前記指定手段により指定された前記第２の選択手段により選択された項目に対応する内容を貼り付ける領域と、を対応付けて記憶する領域記憶手段として機能させ、前記貼り付け手段は、前記領域記憶手段に項目と領域との対応関係が記憶されている場合には、前記第２の選択手段により選択された項目に対応する内容を前記一時記憶手段から読み出し、当該読み出された内容を前記領域記憶手段に記憶されている当該項目に対応する領域に貼り付ける。
【００１２】
請求項４に記載の発明は、請求項２に記載の情報処理プログラムにおいて、前記コンピューターを、さらに、前記第２の選択手段により選択された項目と、前記指定手段により指定された前記第２の選択手段により選択された項目に対応する内容を貼り付ける領域と、を対応付けて記憶する領域記憶手段として機能させ、前記貼り付け手段は、前記領域記憶手段に項目と領域との対応関係が記憶されている場合には、前記コピー対象の項目として選択された各項目について、当該項目に対応する内容を前記一時記憶手段から読み出し、当該読み出された内容を前記領域記憶手段に記憶されている当該項目に対応する領域に貼り付ける。
【００１３】
請求項５に記載の発明は、請求項１〜４のいずれか一項に記載の情報処理プログラムにおいて、前記第１のアプリケーションは、ウェブブラウザー上で動作する。
【００１４】
請求項６に記載の発明は、複数の項目について項目毎に当該項目に対応する内容を表示する第１のアプリケーションと、前記複数の項目について項目毎に当該項目に対応する内容を入力するための第２のアプリケーションと、を起動可能な情報処理装置であって、前記第１のアプリケーションにおいて、前記複数の項目について当該項目と当該項目に対応する内容がそれぞれ表示手段に表示された状態で、前記複数の項目のうちコピー対象の項目を選択するための選択手段と、前記選択手段により選択された項目と当該項目に対応する内容とを対応付けて一時記憶手段に記憶させるコピー手段と、前記第２のアプリケーションにおいて、前記一時記憶手段に記憶された内容を貼り付ける領域を指定するための指定手段と、前記第２のアプリケーションにおいて、前記一時記憶手段に記憶された内容を前記指定された領域に貼り付ける貼り付け手段と、を備える。
【発明の効果】
【００１５】
本発明によれば、異なる二つのアプリケーション間において、一方のアプリケーションから他方のアプリケーションへのデータのコピーを簡単に行うことができる。
【図面の簡単な説明】
【００１６】
【図１】在宅診療連携システムのシステム構成図である。
【図２】データ管理サーバーの機能的構成を示すブロック図である。
【図３】チーム対応テーブルの例を示す図である。
【図４】第１在宅診療情報の例を示す図である。
【図５】第２在宅診療情報の例を示す図である。
【図６】ＴｏＤｏ情報の例を示す図である。
【図７】チャット情報の例を示す図である。
【図８】掲示板情報の例を示す図である。
【図９】看護・介護スケジュール情報の例を示す図である。
【図１０】携帯端末装置の機能的構成を示すブロック図である。
【図１１】業務端末装置の機能的構成を示すブロック図である。
【図１２】データ管理サーバーと携帯端末装置により実行される患者状況確認画面表示処理を示すラダーチャートである。
【図１３】患者状況確認画面の例を示す図である。
【図１４】バイタルデータ入力画面の例を示す図である。
【図１５】サービス入力画面の例を示す図である。
【図１６】第１の実施の形態における業務端末装置により実行される第１の情報コピー処理を示すフローチャートである。
【図１７】業務アプリケーション画面の例を示す図である。
【図１８】業務アプリケーション画面とともに、在宅用アプリケーション画面が表示された例を示す図である。
【図１９】業務アプリケーション画面とともに、コピー対象項目一覧が表示された例を示す図である。
【図２０】業務アプリケーション画面の各項目について、項目に対応する内容が貼り付けられた後の状態を示す図である。
【図２１】第２の実施の形態における業務端末装置により実行される第２の情報コピー処理を示すフローチャートである。
【図２２】第３の実施の形態における業務端末装置により実行される第３の情報コピー処理を示すフローチャートである。
【発明を実施するための形態】
【００１７】
（第１の実施の形態）
まず、図１〜図２０を参照して、本発明に係る情報処理装置としての業務端末装置１４０（図１１参照）の第１の実施の形態について説明する。ただし、発明の範囲は、図示例に限定されない。
【００１８】
〔在宅診療連携システムの構成〕
図１に、在宅診療連携システム１００のシステム構成を示す。
図１に示すように、在宅診療連携システム１００は、地域のデータセンターに設置されたデータ管理サーバー１０及び外部サーバー２０と、在宅患者を中心とした複数の医療施設としての在宅療養支援診療所３０Ａ，３０Ｂ、訪問看護ステーション３０Ｃ、訪問介護事業所３０Ｄ、薬局３０Ｅに所属する医療従事者が使用可能な携帯端末装置４０と、各医療施設に設置されている業務端末装置１４０と、を備えて構成されている。データ管理サーバー１０と携帯端末装置４０、データ管理サーバー１０と業務端末装置１４０は、通信ネットワークを介して接続可能となっている。なお、ここでは、訪問看護ステーション３０Ｃに設置されている業務端末装置１４０を例にして説明する。
【００１９】
在宅療養支援診療所３０Ａは、在宅患者の主治医が所属する医療施設である。在宅療養支援診療所３０Ｂは、在宅患者の副主治医が所属する医療施設である。訪問看護ステーション３０Ｃは、在宅患者の訪問看護を行う看護師が所属する医療施設である。訪問介護事業所３０Ｄは、在宅患者のケアプランを作成するケアマネージャーや、在宅患者の訪問介護を行う訪問介護員（ホームヘルパー）が所属する医療施設である。薬局３０Ｅは、在宅患者に処方された薬を扱う薬剤師が所属する医療施設である。
【００２０】
在宅患者の在宅診療に携わる医療従事者は、携帯端末装置４０から処置内容を入力する。入力された情報（在宅診療情報等）は、データ管理サーバー１０に保存され、在宅患者に対して形成されたチーム内の医療従事者に公開される。
データ管理サーバー１０は、各医療施設に所属する医療従事者により入力された在宅診療情報（バイタルデータ、行為情報）、ＴｏＤｏ情報、チャット情報、掲示板情報、看護・介護スケジュール情報を蓄積し管理する。
【００２１】
外部サーバー２０は、在宅療養支援診療所３０Ａの医師により入力された電子カルテ情報、外部の病院において生成された医用画像の画像データ等を含む一般の診療情報を蓄積し管理する。データ管理サーバー１０と外部サーバー２０との間で、相互に情報のやり取りを行うこととしてもよい。ただし、外部サーバー２０からデータ管理サーバー１０に送信される診療情報は、在宅診療チーム内に公開を許可された内容に限られる。
【００２２】
なお、在宅診療連携システム１００を構成する医療施設の数は、特に限定されない。例えば、図１に示すように、在宅診療連携システム１００は、さらに、在宅患者の緊急時の受け入れ先となる後方支援病院３０Ｆを含む構成であってもよい。
【００２３】
〔データ管理サーバーの構成〕
図２に、データ管理サーバー１０の機能的構成を示す。
図２に示すように、データ管理サーバー１０は、制御部１１、操作部１２、表示部１３、通信部１４、ＲＡＭ１５、記憶部１６等を備えて構成されており、各部はバス１７により接続されている。
【００２４】
制御部１１は、ＣＰＵ（Central Processing Unit）等から構成され、データ管理サーバー１０の各部の処理動作を統括的に制御する。具体的には、ＣＰＵは、操作部１２から入力される操作信号又は通信部１４により受信される指示信号に応じて、記憶部１６に記憶されている各種処理プログラムを読み出してＲＡＭ１５に展開し、当該プログラムとの協働により各種処理を行う。
【００２５】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００２６】
表示部１３は、ＬＣＤ（Liquid Crystal Display）等のモニターを備えて構成されており、制御部１１から入力される表示信号の指示に従って、各種画面を表示する。
【００２７】
通信部１４は、ネットワークインターフェース等により構成され、ＬＡＮ（Local Area Network）、ＷＡＮ（Wide Area Network）、インターネット等の通信ネットワークを介して接続された外部機器との間でデータの送受信を行う。
【００２８】
ＲＡＭ１５は、制御部１１により実行制御される各種処理において、記憶部１６から読み出された各種プログラム、入力若しくは出力データ、及びパラメーター等を一時的に記憶するワークエリアを形成する。
【００２９】
記憶部１６は、ＨＤＤ（Hard Disk Drive）や半導体の不揮発性メモリー等により構成され、各種処理プログラム、当該プログラムの実行に必要なパラメーターやファイル等を記憶している。例えば、記憶部１６には、携帯端末装置４０や業務端末装置１４０に搭載されたウェブブラウザーとＨＴＴＰプロトコルによる通信を行ってウェブブラウザーに患者状況確認画面５０（図１３参照）をはじめとする各種ウェブ画面を提供するウェブサーバーとしての機能を実現させるためのウェブサーバープログラムや、ウェブサーバー上で動作し、ウェブブラウザーを介して携帯端末装置４０や業務端末装置１４０のユーザーに在宅診療連携サービスを提供するためのアプリケーションプログラム等が記憶されている。
【００３０】
また、記憶部１６には、患者基本情報１６１、チーム対応テーブル１６２、第１在宅診療情報１６３、第２在宅診療情報１６４、ＴｏＤｏ情報１６５、チャット情報１６６、掲示板情報１６７、看護・介護スケジュール情報１６８等が記憶されている。
【００３１】
患者基本情報１６１は、患者毎の患者に関する情報である。患者基本情報１６１には、例えば、患者の氏名、年齢、生年月日、性別、住所、医療施設の患者ＩＤ、介護機能の利用者ＩＤ、傷病、病状、投与中の薬剤、介護情報（要介護度等）等が含まれる。
【００３２】
図３に、チーム対応テーブル１６２の例を示す。チーム対応テーブル１６２には、複数の患者について、患者毎に、当該患者と、当該患者の在宅診療に関わる複数の職種を含む複数の医療従事者と、が予め対応付けられている。すなわち、各患者について、当該患者の在宅診療に携わる医療従事者のチームが形成されている。複数の医療従事者として、例えば、医師、看護師、ケアマネージャー、訪問介護員、薬剤師等が含まれる。ある患者に対応付けられている複数の医療従事者の中には、異なる職種の医療従事者が含まれるが、同じ職種の医療従事者が含まれていてもよい。
【００３３】
第１在宅診療情報１６３及び第２在宅診療情報１６４は、患者毎の在宅診療に関する情報である。
図４に、第１在宅診療情報１６３の例を示す。第１在宅診療情報１６３は、複数の患者について、患者毎に、当該患者のバイタルデータと、バイタルデータの測定日時と、測定者と、が対応付けられている。バイタルデータには、患者の体温、血圧（上・下）、脈拍、呼吸数等の測定項目毎の測定値が含まれる。また、バイタルデータに、SpO2、尿量、皮膚状態等が含まれていてもよい。また、第１在宅診療情報１６３において、測定者に加えて、さらに、測定者が所属する医療施設、医師・看護師・訪問介護員等の区別情報等が対応付けられていることとしてもよい。
【００３４】
図５に、第２在宅診療情報１６４の例を示す。第２在宅診療情報１６４は、複数の患者について、患者毎に、当該患者に対する行為情報と、行為の処置日時と、行為者と、が対応付けられている。行為情報は、患者に対する医療行為、看護行為又は介護行為を示す情報である。行為情報には、行為内容、行為区分が含まれる。行為区分は、行為情報を所定の分類方法によって複数の区分に分類したグループである。本実施の形態では、行為区分として、「処方」、「医療行為」、「サービス」、「画像」を用いる。行為情報が医師から発行された処方に関する情報である場合には、「処方」に分類される。行為情報が医師の指示に基づいて行われた医療行為に関する情報である場合には、後述するＴｏＤｏ機能等により医療行為を示す旨のチェックを行うことで、医療行為であることを明示し、この場合には、「医療行為」に分類される。行為情報が看護又は介護によるサービスに関する情報である場合には、「サービス」に分類される。行為情報が画像を伴う情報である場合には、「画像」に分類される。処置日時は、各行為を行った日時である。行為者は、各行為を行った医療従事者である。また、第２在宅診療情報１６４において、行為者に加えて、さらに、行為者が所属する医療施設、医師・看護師・訪問介護員等の区別情報等が対応付けられていることとしてもよい。
なお、「処方」に分類される行為情報については、外部サーバー２０に蓄積されている各患者の電子カルテ情報から取得される。
【００３５】
図６に、ＴｏＤｏ情報１６５の例を示す。ＴｏＤｏ情報１６５は、患者毎の、当該患者に関する期限付きタスクを示す情報である。ＴｏＤｏ情報１６５には、複数の患者について、患者毎に、依頼先（その行為をする人）と、行為内容と、期限と、入力者と、完了有無と、が含まれる。入力者が入力者本人に対してすべきことを記録する場合には、依頼先と入力者が同一人物となる。完了有無とは、ＴｏＤｏ情報１６５に記載された期限付きタスクについて、その行為が実行されたか否かを示す情報である。ＴｏＤｏ情報１６５に対して、新規に登録されたレコードについては、完了有無は「無」である。タスクの実行が完了したレコードについては、完了有無は「有」に変更される。
【００３６】
図７に、チャット情報１６６の例を示す。チャット情報１６６は、患者毎の、当該患者に関するコメントを示す情報である。チャット情報１６６には、複数の患者について、患者毎に、チャットＩＤと、患者に関するコメント内容と、入力日時と、入力者と、が含まれる。チャットＩＤとは、入力されるコメントのグループを示す識別情報であり、あるコメントと、あるコメントに対する返信コメント（返信コメントに対する返信コメントも含む。）と、からなる複数のコメントについては、同一のチャットＩＤが付与される。
【００３７】
図８に、掲示板情報１６７の例を示す。掲示板情報１６７は、患者毎の、当該患者に関する連絡事項を示す情報である。掲示板情報１６７には、複数の患者について、患者毎に、患者に関する連絡事項内容と、入力日時と、入力者と、が含まれる。
【００３８】
図９に、看護・介護スケジュール情報１６８の例を示す。看護・介護スケジュール情報１６８は、患者毎の、当該患者に対する看護又は介護のスケジュールを示す情報である。看護・介護スケジュール情報１６８には、看護又は介護を行う医療従事者（行為者）と、看護又は介護を行う日時と、看護・介護内容と、が含まれる。
【００３９】
制御部１１は、携帯端末装置４０からデータ管理サーバー１０にアクセスがあった際、携帯端末装置４０のログインユーザーが、チーム対応テーブル１６２において対象患者に対応付けられている医療従事者である場合にのみ、対象患者についてのデータの入力・参照を許可する。具体的には、携帯端末装置４０に対象患者の患者状況確認画面の表示用データを送信するとともに、携帯端末装置４０から対象患者のバイタルデータ及び行為情報の入力を受け付ける。
業務端末装置１４０に対しても、同様である。
【００４０】
〔携帯端末装置の構成〕
携帯端末装置４０は、患者宅を訪れる複数の医療従事者それぞれが有するものであり、医療従事者が在宅患者を訪れた場合に、在宅患者の在宅診療に関する記録を行うために用いられる。また、医療従事者は、各自が所属する医療施設等で携帯端末装置４０を利用することとしてもよい。携帯端末装置４０は、タブレット型端末やノート型ＰＣ（Personal Computer）等から構成され、持ち運びが可能となっている。また、携帯端末装置４０は、無線通信機能を備え、データ管理サーバー１０との間で通信ネットワークを介してデータの送受信を行う。
【００４１】
図１０に、携帯端末装置４０の機能的構成を示す。
図１０に示すように、携帯端末装置４０は、制御部４１、操作部４２、表示部４３、通信部４４、ＲＡＭ４５、記憶部４６等を備えて構成されており、各部はバス４７により接続されている。
【００４２】
制御部４１は、ＣＰＵ等から構成され、携帯端末装置４０の各部の処理動作を統括的に制御する。具体的には、ＣＰＵは、操作部４２から入力される操作信号又は通信部４４により受信される指示信号に応じて、記憶部４６に記憶されている各種処理プログラムを読み出してＲＡＭ４５に展開し、当該プログラムとの協働により各種処理を行う。
【００４３】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
携帯端末装置４０がタブレット型端末である場合には、操作部４２は、電源をオン／オフさせる電源キー等の操作キー、表示部４３に積層されたタッチパネルにより構成され、各操作キーに対応する操作信号、ユーザーの指等によるタッチ操作の位置に応じた操作信号を制御部４１に出力する。
【００４４】
表示部４３は、ＬＣＤ等のモニターを備えて構成されており、制御部４１から入力される表示信号の指示に従って、各種画面を表示する。例えば、表示部４３は、データ管理サーバー１０から受信した患者状況確認画面の表示用データに基づいて患者状況確認画面を表示する。
【００４５】
通信部４４は、ネットワークインターフェース等により構成され、携帯電話回線等を用いて無線通信を行い、インターネット等の通信ネットワークを介して接続された外部機器との間でデータの送受信を行う。
【００４６】
ＲＡＭ４５は、制御部４１により実行制御される各種処理において、記憶部４６から読み出された各種プログラム、入力若しくは出力データ、及びパラメーター等を一時的に記憶するワークエリアを形成する。
【００４７】
記憶部４６は、ＨＤＤや半導体の不揮発性メモリー等により構成され、各種処理プログラム、当該プログラムの実行に必要なパラメーターやファイル等を記憶している。例えば、記憶部４６には、ウェブブラウザーを実現するためのウェブブラウザープログラム等が記憶されている。
【００４８】
〔業務端末装置の構成〕
業務端末装置１４０は、訪問看護ステーション３０Ｃに設置されており、一般的なＰＣ等から構成されている。業務端末装置１４０は、訪問看護ステーション３０Ｃに所属する医療従事者（看護師）が訪問看護ステーション３０Ｃ内で使用されている業務アプリケーション（第２のアプリケーション）において看護記録を入力する際に用いられる。また、業務端末装置１４０は、携帯端末装置４０と同様、データ管理サーバー１０にアクセスし、ウェブラウザー上で動作する在宅用アプリケーション（第１のアプリケーション）において各患者についてのデータの入力・参照を行う際に用いられる。
【００４９】
図１１に、業務端末装置１４０の機能的構成を示す。
図１１に示すように、業務端末装置１４０は、制御部１４１、操作部１４２、表示部１４３、通信部１４４、ＲＡＭ１４５、記憶部１４６等を備えて構成されており、各部はバス１４７により接続されている。
【００５０】
制御部１４１、操作部１４２、表示部１４３、ＲＡＭ１４５、記憶部１４６は、携帯端末装置４０の制御部４１、操作部４２、表示部４３、ＲＡＭ４５、記憶部４６と同様であり、説明の重複を避けるため、異なる部分を主として説明する。
【００５１】
操作部１４２は、在宅用アプリケーション（第１のアプリケーション）において、複数の項目について当該項目と当該項目に対応する内容がそれぞれ表示部１４３に表示された状態で、複数の項目のうちコピー対象の項目を選択する際に用いられる。すなわち、操作部１４２は、選択手段として機能する。また、操作部１４２は、コピー対象の項目を複数まとめて選択可能である。
【００５２】
また、操作部１４２は、業務アプリケーション（第２のアプリケーション）において、クリップボード１４５ａに記憶された内容を貼り付ける領域を指定する際に用いられる。すなわち、操作部１４２は、指定手段として機能する。また、操作部１４２は、業務アプリケーションにおいて、貼り付け対象の項目として選択された項目に対応する内容を貼り付ける領域を指定する際に用いられる。
【００５３】
また、操作部１４２は、表示部１４３に表示された項目の一覧から貼り付け対象の項目を選択する際に用いられる。すなわち、操作部１４２は、第２の選択手段として機能する。
【００５４】
通信部１４４は、ネットワークインターフェース等により構成され、ＬＡＮ、ＷＡＮ、インターネット等の通信ネットワークを介して接続された外部機器との間でデータの送受信を行う。
【００５５】
ＲＡＭ１４５は、一時的にデータを記憶する一時記憶手段としてのクリップボード１４５ａを有する。
【００５６】
記憶部１４６には、ウェブブラウザーを実現するためのウェブブラウザープログラムの他、看護記録を入力するための業務アプリケーションプログラムが記憶されている。
また、記憶部１４６には、看護記録情報１４６ａが記憶される。看護記録情報１４６ａは、業務アプリケーションから入力された情報であり、患者毎、記録日毎に、複数の項目について、項目とその内容とが対応付けられている。
【００５７】
制御部１４１は、コピー対象の項目として選択された項目と当該項目に対応する内容とを対応付けてクリップボード１４５ａに記憶させる。すなわち、制御部１４１は、コピー手段として機能する。
制御部１４１は、コピー対象の項目が複数まとめて選択された場合には、まとめて選択された項目のそれぞれについて、当該項目と当該項目に対応する内容とを対応付けてクリップボード１４５ａに記憶させる。
【００５８】
制御部１４１は、コピー対象の項目として選択された項目の一覧を表示部１４３に表示させる。すなわち、制御部１４１は、表示制御手段として機能する。
【００５９】
制御部１４１は、業務アプリケーションにおいて、クリップボード１４５ａに記憶された内容を、貼り付け領域として指定された領域に貼り付ける。すなわち、制御部１４１は、貼り付け手段として機能する。
制御部１４１は、貼り付け対象の項目として選択された項目に対応する内容をクリップボード１４５ａから読み出し、当該読み出された内容を貼り付け領域として指定された領域に貼り付ける。
【００６０】
〔患者状況確認画面表示処理〕
次に、在宅診療連携システム１００における動作について説明する。
図１２は、在宅診療連携システム１００内のデータ管理サーバー１０と携帯端末装置４０により実行される患者状況確認画面表示処理を示すラダーチャートである。この処理は、在宅診療連携システム１００内のいずれかの医療施設に所属する医療従事者が在宅患者を訪れた際に実行される処理である。データ管理サーバー１０における処理は、制御部１１と記憶部１６に記憶されているプログラムとの協働によるソフトウェア処理によって実現され、携帯端末装置４０における処理は、制御部４１と記憶部４６に記憶されているプログラムとの協働によるソフトウェア処理によって実現される。
【００６１】
まず、携帯端末装置４０において、操作部４２によりウェブブラウザー上からデータ管理サーバー１０が提供する在宅診療連携サービスにアクセスするためのＵＲＬが入力されると、入力されたＵＲＬが通信部４４によりデータ管理サーバー１０に送信される。
【００６２】
データ管理サーバー１０においては、通信部１４により携帯端末装置４０から在宅診療連携サービスにアクセスするためのＵＲＬが受信されると、携帯端末装置４０に対し、ログイン画面を表示するための表示用データが送信される。なお、データ管理サーバー１０のウェブサーバー機能により携帯端末装置４０に送信されるログイン画面をはじめとする各種ウェブ画面の表示用データには、ＨＴＭＬ、スタイルシート、画像データ、携帯端末装置４０で所定の処理を実行させるためのスクリプト等が含まれる。
【００６３】
携帯端末装置４０においては、通信部４４によりログイン画面の表示用データが受信されると、表示部４３にログイン画面が表示される。ログイン画面は、ユーザーＩＤ及びパスワードの入力欄が表示された画面である。ログイン画面からユーザーＩＤ及びパスワードが入力されると、入力されたユーザーＩＤ及びパスワードが通信部４４によりデータ管理サーバー１０に送信される（ステップＳ１）。
【００６４】
データ管理サーバー１０においては、通信部１４によりユーザーＩＤ及びパスワードが受信されると、ユーザー認証が行われる。具体的には、ユーザーＩＤ及びパスワードの組み合わせが予め登録されているユーザー管理テーブルから、受信されたユーザーＩＤと一致するレコードが検索され、検索されたレコードのパスワードと受信されたパスワードが一致する場合には、ユーザー認証がＯＫであると判断される。受信されたユーザーＩＤがユーザー管理テーブルにない場合、又は、検索されたレコードのパスワードと受信されたパスワードが一致しない場合には、ユーザー認証はＮＧであると判断される。ユーザー認証がＯＫであると判断されると、携帯端末装置４０のウェブブラウザーにおける操作に従って在宅診療連携サービスが提供される。ユーザー認証がＮＧである場合、携帯端末装置４０にユーザー認証がＮＧである旨が通信部１４を介して通知される。
【００６５】
次に、データ管理サーバー１０では、制御部１１により、記憶部１６に記憶されているチーム対応テーブル１６２が参照され、チームを構成するメンバーとしてログインユーザー（医療従事者）が対応付けられている患者が抽出される（ステップＳ２）。そして、制御部１１により、携帯端末装置４０に対し、抽出された一又は複数の患者を含む患者リスト画面を表示するための表示用データが通信部１４を介して送信される。
【００６６】
携帯端末装置４０では、通信部４４により患者リスト画面の表示用データが受信されると、表示部４３に患者リスト画面が表示される（ステップＳ３）。操作部４２により患者リスト画面から今回訪問中の対象患者が選択されると（ステップＳ４）、選択された対象患者が通信部４４によりデータ管理サーバー１０に送信される。
【００６７】
データ管理サーバー１０では、通信部１４により対象患者が受信されると、制御部１１により、記憶部１６の第１在宅診療情報１６３から対象患者のバイタルデータ及び当該バイタルデータに対応付けられている測定日時が読み出され（ステップＳ５）、記憶部１６の第２在宅診療情報１６４から対象患者に対する行為情報及び当該行為情報に対応付けられている処置日時が読み出される（ステップＳ６）。また、制御部１１により、記憶部１６から対象患者の患者基本情報１６１、ＴｏＤｏ情報１６５、チャット情報１６６、掲示板情報１６７が読み出される。
【００６８】
次に、制御部１１により、読み出された各情報に基づいて、対象患者の患者状況確認画面の表示用データが生成される（ステップＳ７）。患者状況確認画面は、対象患者のバイタルデータと対象患者に対する行為情報とを共通の時間軸に沿って表示するものである。生成された患者状況確認画面の表示用データは、制御部１１により、通信部１４を介して携帯端末装置４０に送信される。
【００６９】
携帯端末装置４０においては、通信部４４によりデータ管理サーバー１０から患者状況確認画面の表示用データが受信されると、制御部４１により、患者状況確認画面の表示用データに基づいて、対象患者の患者状況確認画面が表示部４３に表示される（ステップＳ８）。
【００７０】
〔患者状況確認画面〕
図１３に、携帯端末装置４０の表示部４３に表示される患者状況確認画面５０の例を示す。患者状況確認画面５０は、温度版領域５１、連携領域５２、患者基本情報領域５３、ＴｏＤｏ領域５４、チャット領域５５、掲示板領域５６を含む。
【００７１】
温度版領域５１は、バイタルデータをグラフ化して表示するための領域である。温度版領域５１において、横軸５１ａにバイタルデータの測定日時がとられ、縦軸５１ｂに体温、血圧、脈拍等のバイタルデータの測定値がとられている。図１３では、温度版領域５１において、体温及び血圧（上・下）の測定値が折れ線グラフで表示されている。
【００７２】
連携領域５２は、在宅診療連携システム１００内の在宅診療における連携状況を表示するための領域である。連携領域５２には、温度版領域５１と共通の横軸５１ａ（処置日時）に対して、縦軸５２ｂに行為区分（処方、医療行為、サービス、画像）が配置されている。すなわち、温度版領域５１及び連携領域５２において、対象患者のバイタルデータと対象患者に対する行為情報とは、共通の時間軸（横軸５１ａ）に沿って表示される。
【００７３】
連携領域５２には、処方欄、医療行為欄、サービス欄、画像欄に分けられて、各行為が行われた日時が示される。処方欄には、医師から発行された処方の有無又は期間を示すマークが日時に相当する位置に表示される。医療行為欄には、医師の指示に基づいて行われた医療行為の有無を示すマークが日時に相当する位置に表示される。サービス欄には、看護又は介護によるサービスの有無を示すマークが日時に相当する位置に表示される。画像欄には、画像を伴う行為の有無を示すマークが日時に相当する位置に表示される。具体的には、連携領域５２では、各行為区分に属する行為が患者に対して行われた場合に、縦軸５２ｂの行為区分に対応する欄であって、かつ、横軸５１ａの処置日時に相当する位置に、その行為が行われたことを示すマークが表示される。マークが表示されていない日時においては、各行為区分に属する行為が行われなかったことを示す。各マークは、各行為を行う医療従事者毎に色、パターン又は形状を変えることとしてもよい。また、各行為を行う医療従事者が所属する医療施設毎にマークの色、パターン又は形状を変えることとしてもよいし、各行為を行う医療従事者の職種毎にマークの色、パターン又は形状を変えることとしてもよい。
なお、処方欄において、時間的に始めのマークＭａは、処方が発行された日時を示し、それに続くマークＭｂ，Ｍｃ，Ｍｄ，Ｍｅ，Ｍｆ，Ｍｇは、投薬が継続される期間を示している。
【００７４】
連携領域５２において、操作部４２からのユーザーの操作により、いずれかのマークが指定された場合に、制御部４１により、患者状況確認画面５０内の指定されたマークの位置を示す情報が通信部４４を介してデータ管理サーバー１０に送信される。
データ管理サーバー１０では、通信部１４によりマークの位置を示す情報が受信されると、制御部１１により、記憶部１６の第２在宅診療情報１６４から指定されたマークに対応する行為情報、処置日時、行為者が読み出され、読み出された行為情報、処置日時、行為者を表示するための表示用データが生成され、通信部１４を介して携帯端末装置４０に送信される。
携帯端末装置４０では、指定されたマークに対応する行為情報、処置日時、行為者が表示部４３に表示される。
【００７５】
患者基本情報領域５３は、対象患者の患者基本情報１６１を表示するための領域である。操作部４２からのユーザーの操作により、患者基本情報領域５３が押下されると、患者基本情報の詳細情報が別ウィンドウで表示されることとしてもよい。
【００７６】
ＴｏＤｏ領域５４は、対象患者に関する期限付きタスクを表示するための領域である。ＴｏＤｏ領域５４には、対象患者に関して、ログイン中のユーザー（医療従事者）がすべきことが表示される。具体的には、データ管理サーバー１０において、対象患者についてのＴｏＤｏ情報１６５のうち、依頼先がログインユーザーであり、かつ、完了有無が「無」であるものが抽出され、ＴｏＤｏ領域５４の表示用データが生成される。例えば、ＴｏＤｏ領域５４には、「訪問看護の指示書の発行依頼」等が表示される。操作部４２からのユーザーの操作により、ＴｏＤｏ領域５４に表示されているいずれかのタスクが指定されると、指定されたＴｏＤｏ情報の詳細情報（行為内容、期限、入力者（依頼した人））が表示される。
【００７７】
なお、ＴｏＤｏ領域５４に表示されているタスクの実行が完了した場合には、操作部４２からのユーザーの操作に応じて、制御部４１により、タスクの実行が完了した旨の情報が通信部４４を介してデータ管理サーバー１０に送信される。
データ管理サーバー１０では、通信部１４によりタスクの実行が完了した旨の情報が受信されると、制御部１１により、記憶部１６のＴｏＤｏ情報１６５において、実行が完了したタスクに対応する完了有無が「有」に変更される。完了有無が「有」となった情報については、以降、患者状況確認画面５０のＴｏＤｏ領域５４において表示対象から除かれる。
【００７８】
チャット領域５５は、対象患者に関するコメントを表示するための領域である。チャット領域５５において、今日の患者の様子や今日のできごとを伝えることで、チーム間で情報を共有することができる。具体的には、データ管理サーバー１０において、対象患者についてのチャット情報１６６に基づいて、各コメントについて、入力者、入力日時、コメント内容をチャット領域５５に表示するための表示用データが生成される。チャット情報１６６に、入力者とともに入力者が所属する医療施設が含まれる場合には、各コメントについて、入力者が所属する医療施設が表示されてもよい。また、チャット領域５５に表示されている枠５５ａ，５５ｂは、同一のチャットＩＤが付与されたコメントであることを示している。すなわち、同一のチャットＩＤが付与されたコメントが一つである場合には、枠５５ｂのように、枠内に含まれるコメントは一つとなる。一方、同一のチャットＩＤが付与されたコメントが複数存在する場合には、枠５５ａのように、枠内に含まれるコメントは複数となる。
【００７９】
掲示板領域５６は、対象患者に関する連絡事項を表示するための領域である。例えば、掲示板領域５６には、「褥瘡が悪化しています。」といった患者をサポートするチーム全体で気を付ける事項等が表示される。具体的には、データ管理サーバー１０において、対象患者についての掲示板情報１６７に基づいて、各連絡事項について、入力者、入力日時、連絡事項内容を掲示板領域５６に表示するための表示用データが生成される。掲示板情報１６７に、入力者とともに入力者が所属する医療施設が含まれる場合には、各連絡事項について、入力者が所属する医療施設が表示されてもよい。
【００８０】
次に、患者状況確認画面５０におけるデータの入力方法について説明する。患者状況確認画面５０において、操作部４２からのユーザーの操作により、本日データの入力ボタンＢ１が押下されると、制御部４１により、患者状況確認画面５０内の本日データの入力ボタンＢ１の位置を示す情報が通信部４４を介してデータ管理サーバー１０に送信される。
データ管理サーバー１０では、通信部１４により本日データの入力ボタンＢ１の位置を示す情報が受信されると、制御部１１により、バイタルデータを入力するための表示用データが生成され、通信部１４を介して携帯端末装置４０に送信される。
携帯端末装置４０では、データ管理サーバー１０から受信した表示用データに基づいて、バイタルデータ入力画面が表示部４３に表示される。
【００８１】
図１４に、携帯端末装置４０の表示部４３に表示されるバイタルデータ入力画面６０の例を示す。バイタルデータ入力画面６０において、操作部４２からのユーザーの操作により、体温、血圧、SpO2、咳・痰、メモ等が入力されると、制御部４１により、入力されたバイタルデータ、測定日時、測定者（ログインユーザー）が対応付けられて、通信部４４を介してデータ管理サーバー１０に送信される。
データ管理サーバー１０では、通信部１４によりバイタルデータ、測定日時、測定者が受信されると、制御部１１により、受信されたデータ（バイタルデータ、測定日時、測定者）が対象患者と対応付けられて、記憶部１６に第１在宅診療情報１６３として記憶される。
【００８２】
バイタルデータ入力画面６０において、操作部４２からのユーザーの操作により、サービス入力ボタンＢ１１が押下されると、制御部４１により、バイタルデータ入力画面６０内のサービス入力ボタンＢ１１の位置を示す情報が通信部４４を介してデータ管理サーバー１０に送信される。
データ管理サーバー１０では、通信部１４によりサービス入力ボタンＢ１１の位置を示す情報が受信されると、制御部１１により、サービス（看護・介護行為等）を入力するための表示用データが生成され、通信部１４を介して携帯端末装置４０に送信される。
携帯端末装置４０では、データ管理サーバー１０から受信した表示用データに基づいて、サービス入力画面が表示部４３に表示される。
【００８３】
図１５に、携帯端末装置４０の表示部４３に表示されるサービス入力画面６１の例を示す。サービス入力画面６１において、操作部４２からのユーザーの操作により、看護、介護、診察、リハビリテーションの各項目について、行われたサービスがチェックされると、制御部４１により、サービス入力画面６１内の各チェック位置を示す情報、処置日時、行為者（ログインユーザー）が対応付けられて、通信部４４を介してデータ管理サーバー１０に送信される。
データ管理サーバー１０では、通信部１４により各チェック位置を示す情報、処置日時、行為者が受信されると、制御部１１により、各チェック位置に対応するサービス内容、処置日時、行為者が対象患者と対応付けられて、記憶部１６に第２在宅診療情報１６４として記憶される。
【００８４】
サービス入力画面６１の戻るボタンＢ２１が押下されると、表示部４３の表示はバイタルデータ入力画面６０に戻る。バイタルデータ入力画面６０の戻るボタンＢ１２が押下されると、表示部４３の表示は患者状況確認画面５０に戻る。
【００８５】
患者状況確認画面５０において、操作部４２からのユーザーの操作により、ＴｏＤｏ領域５４の新規ボタンＢ２が押下されると、制御部４１により、患者状況確認画面５０内の新規ボタンＢ２の位置を示す情報が通信部４４を介してデータ管理サーバー１０に送信される。
データ管理サーバー１０では、通信部１４により新規ボタンＢ２の位置を示す情報が受信されると、制御部１１により、ＴｏＤｏ情報を入力するためのＴｏＤｏ情報入力画面の表示用データが生成され、通信部１４を介して携帯端末装置４０に送信される。
携帯端末装置４０では、データ管理サーバー１０から受信した表示用データに基づいて、ＴｏＤｏ情報入力画面が表示部４３に表示される。
【００８６】
ＴｏＤｏ情報入力画面において、操作部４２からのユーザーの操作により、依頼先、行為内容、期限が入力されると、制御部４１により、入力された依頼先、行為内容、期限と、入力者（ログインユーザー）と、が対応付けられて、通信部４４を介してデータ管理サーバー１０に送信される。
データ管理サーバー１０では、通信部１４により依頼先、行為内容、期限、入力者が受信されると、制御部１１により、受信されたデータ（依頼先、行為内容、期限、入力者）が対象患者と対応付けられて、記憶部１６にＴｏＤｏ情報１６５として記憶される。
【００８７】
患者状況確認画面５０において、操作部４２からのユーザーの操作により、チャット領域５５の新規ボタンＢ３が押下されると、制御部４１により、患者状況確認画面５０内の新規ボタンＢ３の位置を示す情報が通信部４４を介してデータ管理サーバー１０に送信される。
データ管理サーバー１０では、通信部１４により新規ボタンＢ３の位置を示す情報が受信されると、制御部１１により、チャット情報を入力するためのチャット情報入力画面の表示用データが生成され、通信部１４を介して携帯端末装置４０に送信される。
携帯端末装置４０では、データ管理サーバー１０から受信した表示用データに基づいて、チャット情報入力画面が表示部４３に表示される。
【００８８】
チャット情報入力画面において、操作部４２からのユーザーの操作により、コメント内容が入力されると、制御部４１により、入力されたコメント内容、入力日時、入力者（ログインユーザー）が対応付けられて、通信部４４を介してデータ管理サーバー１０に送信される。
データ管理サーバー１０では、通信部１４によりコメント内容、入力日時、入力者が受信されると、制御部１１により、チャットＩＤが付与され、チャットＩＤ及び受信されたデータ（コメント内容、入力日時、入力者）が対象患者と対応付けられて、記憶部１６にチャット情報１６６として記憶される。
【００８９】
また、チャット領域５５において、既に表示されているコメントに対して返信する場合には、操作部４２からのユーザーの操作により、返信ボタンＢ４，Ｂ５が押下され、制御部４１により、患者状況確認画面５０内の返信ボタンＢ４，Ｂ５の位置を示す情報が通信部４４を介してデータ管理サーバー１０に送信される。
データ管理サーバー１０では、通信部１４により返信ボタンＢ４，Ｂ５の位置を示す情報が受信されると、制御部１１により、チャット情報を入力するためのチャット情報入力画面の表示用データが生成され、通信部１４を介して携帯端末装置４０に送信される。
携帯端末装置４０では、データ管理サーバー１０から受信した表示用データに基づいて、チャット情報入力画面が表示部４３に表示される。
【００９０】
チャット情報入力画面において、操作部４２からのユーザーの操作により、コメント（返信）の内容が入力されると、制御部４１により、入力されたコメント内容、入力日時、入力者（ログインユーザー）が対応付けられて、通信部４４を介してデータ管理サーバー１０に送信される。
データ管理サーバー１０では、通信部１４によりコメント内容、入力日時、入力者が受信されると、制御部１１により、返信対象であるコメントと同一のチャットＩＤが付与され、チャットＩＤ及び受信されたデータ（コメント内容、入力日時、入力者）が対象患者と対応付けられて、記憶部１６にチャット情報１６６として記憶される。
【００９１】
患者状況確認画面５０において、操作部４２からのユーザーの操作により、掲示板領域５６の新規ボタンＢ６が押下されると、制御部４１により、患者状況確認画面５０内の新規ボタンＢ６の位置を示す情報が通信部４４を介してデータ管理サーバー１０に送信される。
データ管理サーバー１０では、通信部１４により新規ボタンＢ６の位置を示す情報が受信されると、制御部１１により、掲示板情報を入力するための掲示板情報入力画面の表示用データが生成され、通信部１４を介して携帯端末装置４０に送信される。
携帯端末装置４０では、データ管理サーバー１０から受信した表示用データに基づいて、掲示板情報入力画面が表示部４３に表示される。
【００９２】
掲示板情報入力画面において、操作部４２からのユーザーの操作により、連絡事項内容が入力されると、制御部４１により、入力された連絡事項内容、入力日時、入力者（ログインユーザー）が対応付けられて、通信部４４を介してデータ管理サーバー１０に送信される。
データ管理サーバー１０では、通信部１４により連絡事項内容、入力日時、入力者が受信されると、制御部１１により、受信されたデータ（連絡事項内容、入力日時、入力者）が対象患者と対応付けられて、記憶部１６に掲示板情報１６７として記憶される。
【００９３】
〔情報コピー処理〕
次に、図１６を参照して、訪問看護ステーション３０Ｃに設置された業務端末装置１４０により実行される第１の情報コピー処理について説明する。この処理は、在宅用アプリケーションにおいて表示されている情報（事前に携帯端末装置４０から入力された情報）を業務アプリケーションにコピーする際に実行される処理であり、制御部１４１と記憶部１４６に記憶されているプログラムとの協働によるソフトウェア処理によって実現される。
【００９４】
訪問看護ステーション３０Ｃに所属する医療従事者（看護師）は、在宅患者の訪問から訪問看護ステーション３０Ｃに戻ると、業務端末装置１４０において、本日の看護記録を入力する。
【００９５】
まず、業務端末装置１４０において、操作部１４２からの操作に応じて、制御部１４１により、業務アプリケーション（第２のアプリケーション）が起動される（ステップＳ１１）。業務アプリケーションは、訪問看護ステーション３０Ｃ内で使用されているものであり、各患者を対象として、複数の項目について項目毎に当該項目に対応する内容を入力するためのアプリケーションである。
【００９６】
図１７に、表示部１４３の表示領域１４３ａに表示される業務アプリケーション画面７０の例を示す。図１７に示すように、業務アプリケーション画面７０は、対象患者において測定されたバイタルデータ（体温、血圧、脈拍、呼吸、SpO2）、対象患者に対して行われた処置実績、対象患者に関する看護記録等を入力し、保存するためのものである。
【００９７】
次に、操作部１４２からの操作に応じて、制御部１４１により、ウェブブラウザーが起動され、ウェブブラウザーから在宅用アプリケーション（第１のアプリケーション）が起動される（ステップＳ１２）。在宅用アプリケーションは、在宅診療連携システム１００の各医療施設に所属する医療従事者によって使用されるものであり、各患者を対象として、複数の項目について項目毎に当該項目に対応する内容を表示したり、入力したりするためのアプリケーションである。
【００９８】
図１８に、表示部１４３の表示領域１４３ａに、業務アプリケーション画面７０とともに、在宅用アプリケーション画面８０が表示された例を示す。在宅用アプリケーションに対するログイン方法及び患者の選択方法については、図１２のステップＳ１〜ステップＳ４において既に説明したので、説明を省略する。患者が選択された後、操作部１４２から本日の作業一覧を表示するための操作指示が行われると、図１８に示すように、在宅用アプリケーション画面８０に、対象患者に対して本日行われた看護に関する情報を一覧にまとめた本日の作業一覧８１が表示される。本日の作業一覧８１には、複数の項目毎に、項目と項目に対応する内容とが表示される。これらの情報は、データ管理サーバー１０において、第１在宅診療情報１６３及び第２在宅診療情報１６４から生成された表示用データに基づいて表示される。なお、在宅用アプリケーション画面８０内に本日の作業一覧８１が表示されたタイミングで、業務端末装置１４０は、在宅用アプリケーション画面８０から他のアプリケーションへデータをコピーする情報コピーモードとなる。
【００９９】
ここで、制御部１４１により、操作部１４２からの操作によって、在宅用アプリケーション画面８０において、「まとめてコピー」が選択されたか否かが判断される（ステップＳ１３）。具体的には、在宅用アプリケーション画面８０上の「まとめてコピー」ボタン８２がクリックされたか否かが判断される。「まとめてコピー」が選択されない場合には（ステップＳ１３；ＮＯ）、ステップＳ１３に戻る。
【０１００】
「まとめてコピー」が選択された場合には（ステップＳ１３；ＹＥＳ）、制御部１４１により、在宅用アプリケーション画面８０上に表示されている全ての項目について項目及び内容の組み合わせが在宅用アプリケーション画面８０の表示用データから取得され、項目と内容とが対応付けられてクリップボード１４５ａにコピーされる（ステップＳ１４）。
【０１０１】
次に、制御部１４１により、クリップボード１４５ａにコピーされたコピー対象項目の一覧が、表示部１４３において、別ウィンドウに表示される（ステップＳ１５）。
【０１０２】
図１９に、表示部１４３の表示領域１４３ａに、業務アプリケーション画面７０とともに、コピー対象項目一覧９０が表示された例を示す。図１９は、コピー対象項目一覧９０が表示されるタイミングで、在宅用アプリケーション画面８０が閉じられた場合の例である。コピー対象項目一覧９０では、項目と、内容の構成と、が表示されている。例えば、「看護記録」という項目については、「内容の構成」はテキストデータであり、「体温」、「SpO2」等の項目については、「内容の構成」は数値データである。「シャワー浴」、「末梢スキンケア」等の項目（処置）については、「内容の構成」はチェックされている（その処置が行われた）ことを示す情報である。
【０１０３】
次に、制御部１４１により、操作部１４２からの操作によって、コピー対象項目一覧９０から貼り付け対象の項目が選択されたか否かが判断される（ステップＳ１６）。
【０１０４】
コピー対象項目一覧９０から貼り付け対象の項目が選択された場合には（ステップＳ１６；ＹＥＳ）、制御部１４１により、業務アプリケーション画面７０において、操作部１４２からの操作によって、対象項目の貼り付け領域が指定されたか否かが判断される（ステップＳ１７）。具体的には、操作部１４２からの操作によって、業務アプリケーション画面７０の対象項目に対応する入力領域が指定され、「貼り付け」が選択されたか否かが判断される。対象項目の貼り付け領域が指定されない場合には（ステップＳ１７；ＮＯ）、ステップＳ１７に戻る。
【０１０５】
対象項目の貼り付け領域が指定された場合には（ステップＳ１７；ＹＥＳ）、制御部１４１により、貼り付け対象の項目として選択された項目に対応する内容がクリップボード１４５ａから読み出され、読み出された内容が、貼り付け領域として指定された領域に貼り付けられる（ステップＳ１８）。そして、ステップＳ１６に戻り、処理が繰り返される。
【０１０６】
例えば、図１９に示すコピー対象項目一覧９０において、貼り付け対象の項目として看護記録９１が選択されると、看護記録９１の表示色が変わる等して、選択されたことが示される。次いで、業務アプリケーション画面７０において、看護記録入力領域７１が指定され、「貼り付け」が選択されると、クリップボード１４５ａにおいて「看護記録」と対応付けられている内容（テキストデータ）が看護記録入力領域７１に入力される。
なお、看護記録入力領域７１を指定するだけで、「貼り付け」を選択しなくとも、自動的に「看護記録」と対応付けられている内容が看護記録入力領域７１に入力されることとしてもよい。
【０１０７】
また、コピー対象項目一覧９０において、貼り付け対象の項目として体温９２が選択され、業務アプリケーション画面７０において、体温入力領域７２が指定され、「貼り付け」が選択されると、クリップボード１４５ａにおいて「体温」と対応付けられている内容（数値データ）が体温入力領域７２に入力される。
【０１０８】
また、コピー対象項目一覧９０において、貼り付け対象の項目としてシャワー浴９３が選択され、業務アプリケーション画面７０において、シャワー浴入力領域７３が指定され、「貼り付け」が選択されると、クリップボード１４５ａにおいて「シャワー浴」と対応付けられている内容（チェックあり）がシャワー浴入力領域７３に入力される。すなわち、シャワー浴入力領域７３にチェックが入れられる。
なお、シャワー浴、末梢スキンケア等の処置については、ユーザーがコピー対象項目一覧９０を見ながら、業務アプリケーション画面７０において、通常どおり、チェックすることとしてもよい。
【０１０９】
図２０に、業務アプリケーション画面７０の各項目について、項目に対応する内容が貼り付けられた後の状態を示す。
【０１１０】
在宅用アプリケーション画面８０から業務アプリケーション画面７０への全ての情報のコピーが終了し、ステップＳ１６において、コピー対象項目一覧９０から貼り付け対象の項目が選択されない場合には（ステップＳ１６；ＮＯ）、第１の情報コピー処理が終了する。
【０１１１】
以上説明したように、第１の実施の形態によれば、在宅用アプリケーションにおいてコピー対象の項目を選択するだけで、選択された項目と当該項目に対応する内容とが対応付けられてクリップボード１４５ａに記憶されるので、異なる二つのアプリケーション間において、一方のアプリケーションから他方のアプリケーションへのデータのコピーを簡単に行うことができる。
【０１１２】
また、「まとめてコピー」ボタン８２のクリックにより、コピー対象の項目を複数まとめて選択することができるので、コピー対象の項目を選択する際の操作性が向上する。
【０１１３】
また、在宅用アプリケーションはウェブブラウザー上で動作するものであるため、業務端末装置１４０へのインストールが不要であり、該当するＵＲＬにアクセスするだけで、目的のアプリケーションを起動させることができる。したがって、簡単に新たなアプリケーションを導入することが可能となる。
【０１１４】
なお、ステップＳ１６において選択される貼り付け対象の項目の順番が予め定められている場合には、コピー対象項目の一覧の表示（ステップＳ１５）、及び、貼り付け対象の項目の選択（ステップＳ１６）を省略することができる。この場合、ステップＳ１７において、ユーザーが、予め定められた順番に従って、業務アプリケーション画面７０上の対象項目の貼り付け領域を指定し、指定された領域に、順番に対応した項目に対応する内容を貼り付けていけばよい。
【０１１５】
（第２の実施の形態）
次に、本発明を適用した第２の実施の形態について説明する。
第２の実施の形態における在宅診療連携システムは、第１の実施の形態に示した在宅診療連携システム１００と同様の構成によってなるため、図１〜図１１を援用して、その構成については図示及び説明を省略する。また、図１２に示した患者状況確認画面表示処理、図１３〜図１５に示した各操作画面についても、第１の実施の形態と同様である。また、業務端末装置１４０の表示部１４３に表示される画面についても、図１７〜図２０に示したものと同様である。以下、第２の実施の形態に特徴的な構成及び処理について説明する。
【０１１６】
記憶部１４６は、貼り付け対象の項目として選択された項目と、貼り付け対象の項目に対応する内容を貼り付ける領域として指定された領域と、を対応付けて記憶する。貼り付け領域は、業務アプリケーション画面７０内の座標で表される。以下、貼り付け対象の項目と貼り付け領域との対応関係を項目領域情報という。
【０１１７】
制御部１４１は、記憶部１４６に項目領域情報が記憶されている場合には、貼り付け対象の項目として選択された項目に対応する内容をクリップボード１４５ａから読み出し、当該読み出された内容を記憶部１４６に記憶されている当該項目に対応する領域に貼り付ける。
【０１１８】
すなわち、制御部１４１は、初回動作時に、コピー対象項目一覧９０において選択された貼り付け対象の項目と、業務アプリケーション画面７０上で指定された貼り付け領域（貼り付け対象の項目に対応する内容を貼り付ける領域）を示す情報と、を対応付けて記憶部１４６に記憶させる。
【０１１９】
制御部１４１は、２回目以降の動作時には、業務アプリケーション画面７０上での貼り付け領域の指定を省略し、コピー対象項目一覧９０において選択された貼り付け対象の項目に対応する内容をクリップボード１４５ａから読み出し、記憶部１４６に記憶されている項目領域情報から貼り付け対象の項目に対応する領域を取得し、クリップボード１４５ａから読み出された内容を、取得された領域に貼り付ける。
【０１２０】
図２１は、業務端末装置１４０により実行される第２の情報コピー処理を示すフローチャートである。この処理は、在宅用アプリケーションにおいて表示されている情報を業務アプリケーションにコピーする際に実行される処理であり、制御部１４１と記憶部１４６に記憶されているプログラムとの協働によるソフトウェア処理によって実現される。
【０１２１】
第２の情報コピー処理において、ステップＳ２１〜ステップＳ２６における処理は、第１の情報コピー処理（図１６参照）のステップＳ１１〜ステップＳ１６における処理と同様であるため、説明を省略する。
【０１２２】
ステップＳ２６において、コピー対象項目一覧９０から貼り付け対象の項目が選択された場合には（ステップＳ２６；ＹＥＳ）、制御部１４１により、記憶部１４６に項目領域情報が記憶されているか否かが判断される（ステップＳ２７）。
【０１２３】
記憶部１４６に項目領域情報が記憶されていない場合には（ステップＳ２７；ＮＯ）、制御部１４１により、業務アプリケーション画面７０において、操作部１４２からの操作によって、対象項目の貼り付け領域が指定されたか否かが判断される（ステップＳ２８）。対象項目の貼り付け領域が指定されない場合には（ステップＳ２８；ＮＯ）、ステップＳ２８に戻る。
【０１２４】
対象項目の貼り付け領域が指定された場合には（ステップＳ２８；ＹＥＳ）、制御部１４１により、貼り付け対象の項目として選択された項目と、貼り付け領域として指定された領域と、が対応付けられて、記憶部１４６に記憶される（ステップＳ２９）。これ以降、ステップＳ２７では、記憶部１４６に項目領域情報が記憶されていると判断される。
【０１２５】
次に、制御部１４１により、貼り付け対象の項目として選択された項目に対応する内容がクリップボード１４５ａから読み出され、読み出された内容が、貼り付け領域として指定された領域に貼り付けられる（ステップＳ３０）。そして、ステップＳ２６に戻り、処理が繰り返される。
【０１２６】
ステップＳ２７において、記憶部１４６に項目領域情報が記憶されている場合には（ステップＳ２７；ＹＥＳ）、制御部１４１により、貼り付け対象の項目として選択された項目に対応する内容がクリップボード１４５ａから読み出され、読み出された内容が、記憶部１４６に記憶されている貼り付け対象の項目（ステップＳ２６において選択された項目）に対応する領域に貼り付けられる（ステップＳ３１）。そして、ステップＳ２６に戻り、処理が繰り返される。
【０１２７】
在宅用アプリケーション画面８０から業務アプリケーション画面７０への全ての情報のコピーが終了し、ステップＳ２６において、コピー対象項目一覧９０から貼り付け対象の項目が選択されない場合には（ステップＳ２６；ＮＯ）、第２の情報コピー処理が終了する。
【０１２８】
第２の情報コピー処理では、初回動作時に、第１の情報コピー処理と同様の処理に加えて、貼り付け対象の項目と、その項目を貼り付ける領域と、を対応付けて記憶しておくので、２回目以降の動作時においては、業務アプリケーション画面７０での対象項目の貼り付け領域の指定が不要となる。
【０１２９】
例えば、２回目以降の動作時に、図１９に示すコピー対象項目一覧９０において、貼り付け対象の項目として看護記録９１が選択されると、制御部１４１により、記憶部１４６から「看護記録」と対応付けられている業務アプリケーション画面７０内の領域（看護記録入力領域７１）を示す情報（座標）が取得され、クリップボード１４５ａにおいて「看護記録」と対応付けられている内容が看護記録入力領域７１に入力される。
【０１３０】
以上説明したように、第２の実施の形態によれば、第１の実施の形態と同様の効果に加え、記憶部１４６に項目領域情報が記憶されている場合には、業務アプリケーション画面７０上での貼り付け領域の指定が不要となるので、操作性を向上させることができる。
【０１３１】
（第３の実施の形態）
次に、本発明を適用した第３の実施の形態について説明する。
第３の実施の形態における在宅診療連携システムは、第１の実施の形態に示した在宅診療連携システム１００と同様の構成によってなるため、図１〜図１１を援用して、その構成については図示及び説明を省略する。また、図１２に示した患者状況確認画面表示処理、図１３〜図１５に示した各操作画面についても、第１の実施の形態と同様である。また、業務端末装置１４０の表示部１４３に表示される画面についても、図１７〜図２０に示したものと同様である。以下、第３の実施の形態に特徴的な構成及び処理について説明する。
【０１３２】
記憶部１４６は、貼り付け対象の項目として選択された項目と、貼り付け対象の項目に対応する内容を貼り付ける領域として指定された領域と、を対応付けて記憶する（項目領域情報）。貼り付け領域は、業務アプリケーション画面７０内の座標で表される。
【０１３３】
制御部１４１は、記憶部１４６に項目領域情報が記憶されている場合には、コピー対象の項目として選択された各項目について、当該項目に対応する内容をクリップボード１４５ａから読み出し、当該読み出された内容を記憶部１４６に記憶されている当該項目に対応する領域に貼り付ける。
【０１３４】
すなわち、制御部１４１は、初回動作時に、コピー対象項目一覧９０において選択された貼り付け対象の項目と、業務アプリケーション画面７０上で指定された貼り付け領域（貼り付け対象の項目に対応する内容を貼り付ける領域）を示す情報と、を対応付けて記憶部１４６に記憶させる。
【０１３５】
制御部１４１は、２回目以降の動作時には、コピー対象項目一覧９０の表示、コピー対象項目一覧９０における貼り付け対象の項目の選択、及び、業務アプリケーション画面７０上での貼り付け領域の指定を省略し、コピー対象の項目として選択された各項目について、当該項目に対応する内容をクリップボード１４５ａから読み出し、記憶部１４６に記憶されている項目領域情報から当該項目に対応する領域を取得し、クリップボード１４５ａから読み出された内容を、取得された領域に貼り付ける。
【０１３６】
図２２は、業務端末装置１４０により実行される第３の情報コピー処理を示すフローチャートである。この処理は、在宅用アプリケーションにおいて表示されている情報を業務アプリケーションにコピーする際に実行される処理であり、制御部１４１と記憶部１４６に記憶されているプログラムとの協働によるソフトウェア処理によって実現される。
【０１３７】
第３の情報コピー処理において、ステップＳ４１〜ステップＳ４４における処理は、第１の情報コピー処理（図１６参照）のステップＳ１１〜ステップＳ１４における処理と同様であるため、説明を省略する。
【０１３８】
ステップＳ４４の後、制御部１４１により、記憶部１４６に項目領域情報が記憶されているか否かが判断される（ステップＳ４５）。
【０１３９】
記憶部１４６に項目領域情報が記憶されていない場合には（ステップＳ４５；ＮＯ）、ステップＳ４６に移行する。ステップＳ４６〜ステップＳ５０における処理は、第２の情報コピー処理（図２１参照）のステップＳ２５、ステップＳ２６、ステップＳ２８〜ステップＳ３０における処理と同様であるため、説明を省略する。ステップＳ５０の後、ステップＳ４７に戻り、処理が繰り返される。
【０１４０】
ステップＳ４７において、コピー対象項目一覧９０から貼り付け対象の項目が選択されない場合には（ステップＳ４７；ＮＯ）、第３の情報コピー処理が終了する。
【０１４１】
ステップＳ４５において、記憶部１４６に項目領域情報が記憶されている場合には（ステップＳ４５；ＹＥＳ）、制御部１４１により、ある項目に対応する内容がクリップボード１４５ａから読み出され、読み出された内容が、記憶部１４６に記憶されている当該項目に対応する領域に貼り付けられる（ステップＳ５１）。
【０１４２】
次に、制御部１４１により、全ての項目について業務アプリケーション画面７０への貼り付けが終了したか否かが判断され（ステップＳ５２）、貼り付けが終了していない項目がある場合には（ステップＳ５２；ＮＯ）、貼り付けが終了していない項目について、ステップＳ５１の処理が繰り返される。
【０１４３】
ステップＳ５２において、全ての項目について業務アプリケーション画面７０への貼り付けが終了した場合には（ステップＳ５２；ＹＥＳ）、第３の情報コピー処理が終了する。
【０１４４】
第３の情報コピー処理では、初回動作時に、第１の情報コピー処理と同様の処理に加えて、貼り付け対象の項目と、その項目を貼り付ける領域と、を対応付けて記憶しておくので、２回目以降の動作時においては、コピー対象項目一覧９０の表示、コピー対象項目一覧９０での貼り付け対象の項目の選択、及び、業務アプリケーション画面７０での対象項目の貼り付け領域の指定が不要となる。
【０１４５】
すなわち、２回目以降の動作時に、図１８に示す在宅用アプリケーション画面８０において、「まとめてコピー」ボタン８２がクリックされると、制御部１４１により、在宅用アプリケーション画面８０上に表示されている全ての項目について項目及び内容の組み合わせが在宅用アプリケーション画面８０の表示用データから取得され、項目と内容とが対応付けられてクリップボード１４５ａにコピーされる。そして、在宅用アプリケーション画面８０上に表示されている各項目に対応する内容が業務アプリケーション画面７０内の所定の領域に自動的に入力される。
【０１４６】
以上説明したように、第３の実施の形態によれば、第１の実施の形態と同様の効果に加え、記憶部１４６に項目領域情報が記憶されている場合には、コピー対象項目一覧９０の表示、コピー対象項目一覧９０における貼り付け対象の項目の選択、及び、業務アプリケーション画面７０上での貼り付け領域の指定が不要となるので、操作性を向上させることができる。
【０１４７】
なお、上記各実施の形態における記述は、本発明に係る情報処理装置の例であり、これに限定されるものではない。装置を構成する各部の細部構成及び細部動作に関しても本発明の趣旨を逸脱することのない範囲で適宜変更可能である。
【０１４８】
例えば、上記各実施の形態では、在宅用アプリケーション画面８０（図１８参照）において、「まとめてコピー」が選択される場合について説明したが、在宅用アプリケーション画面８０の本日の作業一覧８１に表示されている複数の項目の中から、コピー対象の項目が一つずつ選択されることとしてもよい。具体的には、操作部１４２からの操作によって、本日の作業一覧８１に表示されているいずれかの項目が選択されると、制御部１４１により、選択された項目について在宅用アプリケーション画面８０の表示用データから項目及び内容の組み合わせが取得され、項目と内容とが対応付けられてクリップボード１４５ａにコピーされる。例えば、本日の作業一覧８１において、「血圧」が選択された場合には、項目「血圧（上）」とその内容「１４０」とが対応付けられ、項目「血圧（下）」とその内容「９６」とが対応付けられ、クリップボード１４５ａにコピーされる。本日の作業一覧８１において、コピー対象の項目が選択されていく度に、クリップボード１４５ａに項目及び内容の組み合わせが追加される。
【０１４９】
また、上記各実施の形態では、在宅用アプリケーション（第１のアプリケーション）が複数の項目について項目毎に当該項目に対応する内容を表示する画面を表示する場合について説明したが、項目とその内容とを対応付けて表示する機能さえ有していれば、各項目に対してその内容が入力された状態の入力画面を表示するものであってもよい。
【０１５０】
また、上記各実施の形態では、コピー対象の項目として選択された項目と当該項目に対応する内容とを対応付けて記憶する一時記憶手段としてクリップボード１４５ａを用いた場合について説明したが、これに限定されるものではなく、コピー対象の項目として選択された項目と当該項目に対応する内容とを対応付けて記憶可能な記憶手段であればよい。
【符号の説明】
【０１５１】
１０  データ管理サーバー
１１  制御部
１４  通信部
１６  記憶部
３０Ａ，３０Ｂ  在宅療養支援診療所
３０Ｃ  訪問看護ステーション
３０Ｄ  訪問介護事業所
３０Ｅ  薬局
４０  携帯端末装置
７０  業務アプリケーション画面
８０  在宅用アプリケーション画面
８１  本日の作業一覧
９０  コピー対象項目一覧
１００  在宅診療連携システム
１４０  業務端末装置
１４１  制御部
１４２  操作部
１４３  表示部
１４４  通信部
１４５  ＲＡＭ
１４５ａ  クリップボード
１４６  記憶部
【図１】
2018032446.tif 000003
【図２】
2018032446.tif 000004
【図３】
2018032446.tif 000005
【図４】
2018032446.tif 000006
【図５】
2018032446.tif 000007
【図６】
2018032446.tif 000008
【図７】
2018032446.tif 000009
【図８】
2018032446.tif 000010
【図９】
2018032446.tif 000011
【図１０】
2018032446.tif 000012
【図１１】
2018032446.tif 000013
【図１２】
2018032446.tif 000014
【図１３】
2018032446.tif 000015
【図１４】
2018032446.tif 000016
【図１５】
2018032446.tif 000017
【図１６】
2018032446.tif 000018
【図１７】
2018032446.tif 000019
【図１８】
2018032446.tif 000020
【図１９】
2018032446.tif 000021
【図２０】
2018032446.tif 000022
【図２１】
2018032446.tif 000023
【図２２】
2018032446.tif 000024
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
一のユーザーが在宅診療情報を入力するための在宅診療情報端末装置と、
前記在宅診療情報端末装置から送信された前記在宅診療情報を含む、患者関連情報を蓄積し管理する在宅診療情報管理サーバーと、
他のユーザーが一般診療情報を入力するための外部サーバー端末装置と、
前記一般診療情報を蓄積し管理する外部サーバーと、を有し、
前記在宅診療情報管理サーバーと前記外部サーバーとは、相互に情報のやり取りが可能であり、
前記在宅診療情報端末装置は、前記在宅診療情報管理サーバーを経由して、前記外部サーバーの前記一般診療情報を取得可能であり、
前記外部サーバー端末装置は、前記外部サーバーを経由して、前記在宅診療情報管理サーバーの前記在宅診療情報を取得可能であることを特徴とする医療システム。
【請求項２】
前記一のユーザーは、在宅患者の在宅診療に携わる医療従事者のうち、在宅患者のケアプランを作成するケアマネージャー、又は、在宅患者の訪問介護を行う訪問介護員のいずれかであり、
前記他のユーザーは、医師であることを特徴とする請求項１に記載の医療システム。
【請求項３】
前記在宅診療情報は、バイタルデータ又は行為情報を含み、
前記患者関連情報は、ＴｏＤｏ情報、チャット情報、掲示板情報又は看護・介護スケジュール情報を更に含むことを特徴とする請求項１又は２に記載の医療システム。
【請求項４】
前記一般診療情報は、電子カルテ情報又は医用画像の画像データを含むことを特徴とする請求項１から３のいずれか一項に記載の医療システム。
【手続補正３】
【補正対象書類名】明細書
【補正対象項目名】０００１
【補正方法】変更
【補正の内容】
【０００１】
本発明は、医療システムに関する。
【手続補正４】
【補正対象書類名】明細書
【補正対象項目名】０００８
【補正方法】変更
【補正の内容】
【０００８】
本発明は、在宅診療情報を蓄積し管理する在宅診療情報管理サーバーと、一般診療情報を蓄積し管理する外部サーバーと、で相互に情報のやり取りを可能とすることを課題とする。
【手続補正５】
【補正対象書類名】明細書
【補正対象項目名】０００９
【補正方法】変更
【補正の内容】
【０００９】
上記課題を解決するために、請求項１に記載の発明は、一のユーザーが在宅診療情報を入力するための在宅診療情報端末装置と、前記在宅診療情報端末装置から送信された前記在宅診療情報を含む、患者関連情報を蓄積し管理する在宅診療情報管理サーバーと、他のユーザーが一般診療情報を入力するための外部サーバー端末装置と、前記一般診療情報を蓄積し管理する外部サーバーと、を有し、前記在宅診療情報管理サーバーと前記外部サーバーとは、相互に情報のやり取りが可能であり、前記在宅診療情報端末装置は、前記在宅診療情報管理サーバーを経由して、前記外部サーバーの前記一般診療情報を取得可能であり、前記外部サーバー端末装置は、前記外部サーバーを経由して、前記在宅診療情報管理サーバーの前記在宅診療情報を取得可能であることを特徴とする医療システムである。
【手続補正６】
【補正対象書類名】明細書
【補正対象項目名】００１０
【補正方法】変更
【補正の内容】
【００１０】
請求項２に記載の発明は、請求項１に記載の医療システムにおいて、前記一のユーザーは、在宅患者の在宅診療に携わる医療従事者のうち、在宅患者のケアプランを作成するケアマネージャー、又は、在宅患者の訪問介護を行う訪問介護員のいずれかであり、前記他のユーザーは、医師であることを特徴とする。
【手続補正７】
【補正対象書類名】明細書
【補正対象項目名】００１１
【補正方法】変更
【補正の内容】
【００１１】
請求項３に記載の発明は、請求項１又は２に記載の医療システムにおいて、前記在宅診療情報は、バイタルデータ又は行為情報を含み、前記患者関連情報は、ＴｏＤｏ情報、チャット情報、掲示板情報又は看護・介護スケジュール情報を更に含むことを特徴とする。
【手続補正８】
【補正対象書類名】明細書
【補正対象項目名】００１２
【補正方法】変更
【補正の内容】
【００１２】
請求項４に記載の発明は、請求項１から３のいずれか一項に記載の医療システムにおいて、前記一般診療情報は、電子カルテ情報又は医用画像の画像データを含むことを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明によれば、在宅診療情報を蓄積し管理する在宅診療情報管理サーバーと、一般診療情報を蓄積し管理する外部サーバーと、で相互に情報のやり取りが可能となる。